(57)【要約】【課題】本発明は草花などの植物に音楽や声などの音響を出力させることができる音響出力装置を提供する。【解決手段】草花や木などを固定することができる固定部を有し、固定部を支えるとともに振動を伝えるコイル部と音信号をコイル部に振動を伝える振動部を有するように構成される。【選択図】        図１
2006314067.tif 000002
【特許請求の範囲】
【請求項１】
草花や木などが固定可能な草木固定部を有する音響出力装置であって、音信号を振動に変換し、前記振動を草木固定部に伝える振動伝達部を有し、振動伝達部からの振動を草木固定部に伝え草木固定部を振動させ音響を出力させることを特徴とする音響出力装置。
【請求項２】
振動吸収部を備えボイスコイルからの振動を前記振動吸収部で吸収させることを特徴とする請求項１記載の音響出力装置。
【請求項３】
少なくとも２つの振動伝達部を備え前記振動伝達部が分離可能であることを特徴とする請求項１ないし請求項２記載の音響出力装置。
【請求項４】
磁性体で構成された振動伝達部を有することを特徴とする請求項１ないし請求項３記載の音響出力装置。
【発明の詳細な説明】
【技術分野】
【０００１】  本発明は、草花や木などの植物に音楽や声などの音響を出力させることができる音響出力装置に関する。
【背景技術】
【０００２】  従来の音響出力装置（スピーカー）は出力装置自体にコーンと呼ばれる振動板が供えられており、入力された電気信号（音信号）を空気振動に変えるためにこの振動板であるコーンを振動させることで音を外部に出力する構造になっている。つまりこの音はこのスピーカー本体から出力される。
【発明の開示】
【発明が解決しようとする課題】
【０００３】  今日、花や木などの展示などで同時に音楽などを流し展示効果をあげたいときなどは、花や木など並んで別に音響出力装置（スピーカー）を設置し音楽や音などの音響を流すことにより展示効果をあげるのはごく当たり前のことである。しかしこの場合当然スピーカーを設置することになるが展示物以外に新たな場所が必要になるなどや、くわえて展示場所の制限があるときなどは結果設置ができないなどが発生してしまうことがしばしばおきた。また設置ができたとしてもスピーカーが露出されてしまい美観が損なわれ展示効果が下がってしまうという欠点があった。【０００４】  また出力される音や音楽などを展示物の内容と関連を持たせ展示効果をあげようとしても設置場所によっては展示物と音や音楽の出力の場所や方向が異なってしまい思うように期待できなかった。また既に実用新案登録第３１０６５９３号考案や、実用新案登録第３１０９７５５号考案などがあるが、この考案などでは花木を挿入したときと草木が挿入されていない場合とを比較した時、音や音楽の音の大きさにあまり差が無く草や木などから音がでているというインパクトが弱かった。これは振動が草木を支えている部分や装置自体が振動してしまい音になって外部に出力されてしまい挿入された花木から音がでているという感覚が弱かった。
【課題を解決するための手段】
【０００５】  本発明は草花や木などが固定可能な草木固定部を有する音響出力装置であって、音信号を振動に変換し、前記振動を草木固定部に伝える振動伝達部を有し、振動伝達部からの振動を草木固定部に伝え草木固定部を振動させ音響を出力させることを特徴とする音響出力装置を請求項１の発明とし振動吸収部を備えボイスコイルからの振動を前期振動吸収部で吸収させることを特徴とする請求項１記載の音響出力装置を請求項２の発明とし、少なくとも２つの振動伝達部を備え前記振動伝達部が分離可能であることを特徴とする請求項１ないし請求項２記載の音響出力装置を請求項３の発明とし磁性体で構成された振動伝達部を有することを特徴とする請求項１ないし請求項３記載の音響出力装置で上記課題を解決するものである。
【実施例】
【０００６】  図１は、第一実施例の形態における音響出力装置の縦断面図、図２は本発明の概観図である。【０００７】  以下図に従って説明する。図１での円筒状下ヨーク１は鋼鉄や鉄で構成されておりリング状マグネット２を経由し円筒形のヨーク３と接触されている。したがって下ヨーク１、ヨーク３は磁化され下ヨーク１、マグネット２、ヨーク３とで一連の磁性体として形成される。つまりヨーク３のヨークＡ１２部と下ヨーク１のヨークＢ１３部は反対の磁極性をもつことになる。さらにこのヨークＡ部とヨークＢ部は接しておらず円筒状のボイスコイル５が上下に振動できるように一定距離の隙間を保持した状態で構成される。【０００８】  ダンパー４は振動筒６と前述したヨークＡ１２部とヨークＢ１３部の間隔を一定に保持し、さらにボイスコイル５が容易に上下振動を行える役割を持つ。そのためこのダンパー４は柔軟性のある材質で構成されており上下方向には動きやすく横方向には動きにくい構造となっており振動吸収部７により外筒１０に固定されている。この振動吸収部７の役目は振動筒６が振動した場合に外筒１０へ振動が伝わって外筒１０から音や音楽がでてしまわないように吸収する役目とボイスコイル５を支える役目を持つ。【０００９】  振動筒６の中心位置のダンパー４部に下振動伝達ピン１７が固定される。この下振動伝達ピン１７はボイスコイル５が振動すると同期して振動する機能を果たす。そのために硬い素材で構成される。防音部８はボイスコイル５が振動したときに外筒１０を振動させて外部に音が漏れてしまわないように外筒１０の内側に装着され音を吸収する役目を持っている。したがって柔らかい素材で作られている。下固定部１５は挿入筒１８にある上固定部１４と装着するためのもので下固定部１５の内側に上固定部１４が入り込むように構成されている。【００１０】  挿入筒１８は円筒状のもので形成されており、鉄や陶器、アクリルなどの素材を利用するが材質や形はとくに制限されるものではない。挿入筒１８の下部には穴があけてあり草木固定部１１の中央の底部と固定された上振動伝達ピン１６が挿入筒１８の下部から突き出した形で構成される。なお草木固定部１１の材質は金属が好ましいが硬いものであれば動作上に問題は無い。草木固定部１１は挿入筒１８には直接固定されず振動吸収部２０を経由し挿入筒１８の底部に固定される。の振動吸収部２０の中央部には穴が開いており上振動伝達ピン１６とは接触しない程度の隙間が開いており上振動伝達ピン１６の振動が振動吸収部２０に伝わらないような構造となっている。同様に挿入筒１８も穴が開いており上振動伝達ピン１６は挿入筒１８にも接触しない程度の隙間を確保してある。つまり草木固定部１１に固定された上振動伝達ピン１６は非接触のまま挿入筒１８下部へ突き出すことになる。この構造は挿入筒１８内部に水などを入れた場合に漏れないようにするためのものでもある。【００１１】  本装置は外筒１０部と挿入筒１８部とに分かれているが使用時には外筒１０に挿入筒１８を差込んで使用する。挿入筒１８を外頭筒１０に上固定部１４を下固定部１５の内側に差し込むことによって同時に下振動伝達ピン１７と上振動伝達ピン１６が接続されることになる。つまり振動経路がボイスコイル５、ダンパー４、下振動伝達ピン１７、上振動伝達ピン１６、挿入筒１８、草木固定部１１と形成されることになるので草木固定部１１の固定された草木、花などが振動し音や音楽が発生することになる。さらに挿入筒１８の重さや、入れられた水や草木、草木固定部１１などの重さは上固定部１４が外筒１０の上に乗る形が形成されるので安定した設置が可能になる。【００１２】  ボイスコイル５は振動筒６に筒状にエナメル線が巻かれ振動筒６に固定され、巻き始めと巻き終わりの両端は音信号の入力端子９が備えられている。この入力端子９にはＣＤやカセットデッキなどを再生し音声信号を入力するか、または増幅器（アンプ）などを通し増幅された音楽信号を入力する。【００１３】  入力端子９に音信号が入力されると音信号に従った磁界がボイスコイル５に発生する。音声信号は交流信号であるので電流の方向が交互入れ替わりボイスコイル５には交流信号にしたがってＮ極Ｓ極が入れ替わることになる。ボイスコイル５はヨークＢ１３部、ヨークＡ１２部の簡の位置でヨークＡ１２、ヨークＢ１３部の磁極にたいして反発、吸引を繰り返す。このときボイスコイル５が巻かれた振動筒６が上下振動をすることになりさらにダンパー４が振動する。このダンパー４の構造は格子状の平面や棒状のものでできている。つまりダンパー４自体は表面積が少なくなるので振動しても極めて小さな音になるため漏れ出す音を少なくすることができる。【００１４】  この上下振動は入力された音の信号が変換されたもので、ダンパー４の中央には下振動伝達ピン１７が接続されているために結果的に入力された音信号が下振動伝達ピン１７に振動として伝わることになる。この上下振動伝達ピン１７は図１のように細い棒状のもので形成される。この振動伝達ピンはダンパー４の上下の振動をうけて上振動伝達ピン１６に上下方向つまり垂直方向の振動を伝える。すなわち下振動伝達ピン１６は上下方向のみの振動をするので空気に触れる振動面積を非常に小さくすることが可能になる。したがって草木固定部１１へ振動を伝達する前に音として再現されてしまう漏れ音を最小限にすることが可能になる。さらにダンパー４は振動吸収部７を経由して外筒１０の内側に固定されているが振動を吸収するやわらかい素材で構成されているため外筒１０への振動は吸収され外筒１０外部への音漏れを抑えることができるので必要に応じて構成する。同様に外筒１０の内壁には防音材でできた防音部８が構成されているのでさらに外筒１０外部への音漏防止の最大の効果をあげている。【００１５】  本装置の動作時は下振動伝達ピン１７と上振動伝達ピン１６は接触することになるので下振動伝達ピン１７の上下振動は上振動伝達ピンへ１６へと伝達することになる。振動伝達ピン１６は草木固定部１１に接続されているので結果的に草木固定部１１に振動が伝わることになる。つまり草木固定部１１へ差し込まれた草木などは振動を伝えられ草木自体が振動しその振動が葉、花を振動することになり、周知のスピーカーのコーン紙と同じ役目となり音が再現されることになる。この場合も同様に草木固定部１１は挿入筒１８には吸収部２０を経由し固定されているので草木固定部１１の振動は吸収部２０に吸収さ���挿入筒１８の余計な振動がしない構造になっているので挿入筒１８から音漏れしないようになっている。【００１６】  本発明は挿入筒１８と外筒１０とをはずせることになっているが、これは挿入筒１８に生花や木などを挿入したときに水を入れるが、水の入れ替えなどをしやすくしたもので水の入れ替えを必要としない花などを入れるということや使い勝手で問題なければ挿入筒１８は外筒１０からはずせる構造にしなくとも良い。この場合は図１の下振動伝達ピン１７上振動伝達ピン１６のように別々の構成にしなくとも下振動伝達ピン１７を挿入筒１８の草木固定部１１に接続すればよい。また図１では下振動伝達１７が上振動伝達ピン１６に差し込まれた状態で接触する構造になっているがこれは下振動ピン１７と上振動ピン１６が接触すればよいので形状などを限定するものではない。また図１の防水部１９は挿入筒１８に入れた水が漏れた場合に外筒１０に水が入って故障しないようにするためのもので造花かドライフラワーなどの利用を前提にすれば特に備えなくとも良いし、外筒１０の内壁に防音部８が構成されているがこれも全内部を構成する必要はなく一部や部分的に構成しても良いし場合によっては備えなくとも良い。加えて上振動伝達ピン１６と下振動伝達ピン１７に吸引するように磁性体を有する構造にすれば外筒１０に挿入筒１８を差し込む際上下振動ピンが互いに引き付けあい簡単により確実に組み立てをすることが可能になるし挿入筒１８がより安定することにもなる。【００１７】  ＣＤプレーヤーやカセットデッキなどにある外部スピーカー端子を本考案の入力端子９に接続し音楽を入力する場合はＣＤプレーヤーからの音楽が花や木などから直接出力することができるので展示における集客効果など一段とアップすることができるし、くわえて本考案の装置を２台用意しステレオの右チャンネル、左チャンネルの外部スピーカー端子に各々接続すればステレオによる再現が可能となる。また挿入筒１８などを花瓶などの形状にして水などをいれ、花や木などを生けることができるので花や木などを長持ちさせることもできる。また生花にこだわることなく造花やドライフラワーなどでも同様に音信号を再生することもできるのは言うまでも無い。この場合は水の入れ替え、花の入れ替えなどの手入れをする必要が無いため常時設置ができ手間がかからない。
たとえば挿入筒１８をプランター程度に大きくし土をいれるなどで外からは見えないようにすることができ花などの成長とともに音が変化するので癒し効果は抜群である。さらに挿入筒１８に絵などを書き込んだり模様のシートなどを巻きつけたりすれば好みの演出が可能になる。
【発明の効果】
【００１８】  本発明に係わる音響出力装置は、草花や樹木などを振動させ容易に音や音楽を出力させることができるので鉢、プランターなどに内蔵させることができ美観を損なうことが無い。また水をいれることもできるので花を長持ちさせ、さらにはそのまま花瓶として利用することもできる。また花や木を入れる挿入筒１８を外筒１０より分離できるようにすれば、容易に水の入れ替えや花の入れ替えができる。くわえて花や木の種類や大きさなどにより音の大きさや音質が異なるので設置される場所に応じた音楽の調整も可能となり設置される場所も限定されることは無い。また特に被展示物が花や木であれば、花そのものから音や音楽が出力されるので展示によるインパクトが非常に強くなり演出効果抜群である。
【００１９】  図２のように花や木などの植物を差し込まなくとも草木固定部１１を木材や大木など固形物に直接接触させれば固形物全体での振動を発生すことができるので大木や木材、さらに家やいすなどから音や音楽が出力できる。こうした場合は音響出力装置（スピーカー）が目に触れることなく設置可能になり、くわえて新たに場所を確保する必要がなくなり場所の有効利用が可能となる。
【図面の簡単な説明】
【００２０】
【図１】本発明に係わる音響出力装置の縦断面図である。
【図２】本発明に係わる音響出力装置の構造図である。
【符号の説明】
【００２１】    １    …  下ヨーク
２    …  マグネット
３    …  ヨーク
４    …  ダンパー
５    …  ボイスコイル
６    …  振動筒
７    …  振動吸収部
８    …  防音部
９    …  入力端子
１０    …  外筒
１１    …  草木固定部
１２    …  ヨークＡ
１３    …  ヨークＢ
１４    …  上固定部
１５    …  下固定部
１６    …  上振動伝達ピン
１７    …  下振動伝達ピン
１８    …  挿入筒
１９    …  防水部
２０    …  振動吸収部
２１    …  草木
【図１】
2006314067.tif 000003
【図２】
2006314067.tif 000004